【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
決済システムを通じて金融取引を行う方法であって、
第一者に関連するコンピューティングデバイスから第一者の金融機関に関連する第一者の金融預金口座情報を前記決済システムにおいて受信する段階と、
第二者に関連する識別情報前記決済システム中に受信する段階と、
前記決済システムにおいて、前記第一者に関連するコンピューティングデバイスの位置を受信する段階と、
前記第一者に関連する前記コンピューティングデバイスの位置を前記決済システムにおいて受信する段階と、
前記コンピューティングデバイスの所定の距離内に位置する前記第二者の少なくとも１つの前記識別情報を前記第一者に関連する前記コンピューティングデバイスに転送する段階と、
前記１又はそれ以上の第二者の中の選択された第二者の前記第一者による選択の指示を前記決済システムで受信する段階であって、前記選択された第二者に関連する前記識別情報は、前記選択された第二者のモバイルデバイス番号、前記選択された第二者の名前、前記選択された第二者の写真、又は前記選択された第二者の電子メールアドレス、の中の１つ又はそれ以上である段階と、
前記決済システムにおいて、前記第一者と前記第二者の間の関連を生成する段階と、
前記決済システムにおいて、前記第一者と前記第二者の間の金融処理の完了の指示を受信する段階と、
前記第一者の金融預金口座から前記選択された第二者の金融預金口座に資金を転送する処理を開始させる段階と、を含み、
前記第二者のいずれかとの後続の処理を実行するために前記第一者の金融預金口座情報は前記決済システム中に一度入力され、前記第一者の金融預金口座情報の少なくとも一部は前記第二者から保留され、前記決済システムと前記第一者と前記第二者は異なるエンティティであることを特徴とする方法。
【請求項２】
前記選択された第二者の識別情報を前記第一者のコンピューティングデバイスから受信する段階をさらに含む請求項１に記載の方法。
【請求項３】
前記第一者の金融預金口座は、銀行預金口座、クレジットカード、デビットカード、プリペイドカード、及び第三者資金源のうちの少なくとも１つから選択されることを特徴とする請求項１に記載の方法。
【請求項４】
前記コンピューティングデバイスは、モバイルデバイス、銀行端末、又はオンラインエンティティのうちの少なくとも１つを含む請求項１に記載の方法。
【請求項５】
前記第一者の金融口座情報は、前記第一者の金融預金口座情報に関連する金融カード情報を有する金融取引カードに関連付けられ、該第一者の金融カード情報を入力する段階は、モバイルデバイスを用いて実行されるものであり、
前記入力する段階は、前記モバイルデバイスに結合されたカード読取器のスロットを通して前記金融取引カードをスワイプすること、該モバイルデバイスのスロットを通して前記金融取引カードをスワイプすること、該モバイルデバイスへの該金融取引カードのタッチ、該モバイルデバイスに前記第一者の金融預金口座情報を打ち込むこと、前記第一者の金融預金口座情報の画像を取得すること、前記第一者の金融預金口座情報を有するモバイルデバイス上のアプリケーションからカードを選択すること、及びオンラインエンティティから、のうちの少なくとも１つによって実行される、
ことを特徴とする請求項１に記載の方法。
【請求項６】
金融取引カードは、クレジット金融取引カード、デビット金融取引カード、ギフト金融取引カード、資金転送金融取引カード、及び資金の転送を実行することができる他のタイプの支払い認証部分のうちの少なくとも１つから選択されることを特徴とする請求項５に記載の方法。
【請求項７】
前記第一者に関連するコンピューティングデバイスは前記第一者のモバイルデバイスであり、前記第一者のモバイルデバイスは、少なくとも信号を受信し、必要であれば該信号を復号し、第二者金融機関又は決済ネットワークと情報を交換して買い手及び／又は売り手の預金口座情報を検証し、かつ前記取引を行うことができるソフトウエア、ファームウエア、ハードウエア、又はその組合せのうちの少なくとも１つを含む携帯式電子デバイスであることを特徴とする請求項１に記載の方法。
【請求項８】
前記モバイルデバイスは、モバイルデジタルデバイスである請求項７に記載の方法。
【請求項９】
支払いの確認が、前記第一者の金預金口座からの資金の転送に応答して該第一者に関連する前記コンピューティングデバイスに転送されることを特徴とする請求項１に記載の方法。
【請求項１０】
前記選択された第二者は、前記決済システムに登録されていることを特徴とする請求項１に記載の方法。
【請求項１１】
前記第一者及び前記選択された第二者の各々が、前記決済システムに登録されていることを特徴とする請求項１に記載の方法。
【請求項１２】
前記第一者は、前記決済システムに登録されているが、前記選択された第二者は、登録されていないことを特徴とする請求項１に記載の方法。
【請求項１３】
前記第一者は、前記コンピューティングデバイスの送金モードを使用することを特徴とする請求項１に記載の方法。
【請求項１４】
前記選択された第二者は、前記第一者の電話リスト上の少なくとも一人であることを特徴とする請求項１に記載の方法。
【請求項１５】
前記選択された第二者は、第一者の電話リスト上に載っていないが、取引に応答して該第一者の電話リストに追加されることを特徴とする請求項１に記載の方法。
【請求項１６】
前記第一者の金融預金口座からの資金が、該第一者の金融預金口座から前記選択された第二者の預金口座に直接に入ることを特徴とする請求項１に記載の方法。
【請求項１７】
前記選択された第二者は、前記決済システムとの又は該決済システムのデータベースとの関連付けを有することを特徴とする請求項１に記載の方法。
【請求項１８】
前記選択された第二者が前記決済システムとの関連付けを持たない時に、前記第一者の金融預金口座からの資金の転送の前にテキストメッセージが該選択された第二者に送られることを特徴とする請求項１に記載の方法。
【請求項１９】
前記テキストメッセージに応答して、前記選択された第二者が前記決済システムとの関連付けを有することを決定することを受諾又は拒否するかどうかを示すメッセージを受信することを特徴とする請求項１８に記載の方法。
【請求項２０】
前記決済システムにおいて前記コンピューティングデバイスから前記第二者のうちの前記選択された第二者を識別する前記第一者の選択を受信する段階をさらに含む請求項１に記載の方法。
【請求項２１】
決済システムを通じて金融取引を行う方法であって、
支払者に関連する金融預金口座情報を前記決済システムにおいて受信する段階と、
前記決済システムによって前記金融預金口座情報を前記支払者に関連付ける段階と、
前記支払者に関連するモバイルコンピューティングデバイスから、前記モバイルコンピューティングデバイスの地理的位置に隣接した１つ又はそれ以上の販売業者に関連する情報を提供する要求を受信する段階と、
前記モバイルコンピューティングデバイス上に表示するため前記モバイルコンピューティングデバイスの地理的位置に隣接した１つ又はそれ以上の販売業者に関連する情報を前記決済システムによって提供する段階と、
前記１つ又はそれ以上の所定の販売業者の前記支払者のモバイルコンピューティングデバイスでなされた選択を前記決済システムによって受信する段階と、
前記支払者と前記所定の販売業者の間の金融処理の指示を前記決済システムで受信する段階と、
前記金融処理を処理するために前記金融預金口座から前記所定の販売業者と関連する金融預金口座に資金を転送する処理を開始させる段階と、を含み、
前記１又はそれ以上の販売業者のいずれかとの後続の処理を実行するために前記第一の金融預金口座情報は前記決済システム中に一度入力され、前記第一の金融預金口座情報の少なくとも一部は前記１又はそれ以上の販売業者から保留され、前記決済システムと前記支払者と前記１又はそれ以上の販売業者は異なるエンティティであることを特徴とする方法。
【請求項２２】
前記支払者と前記所定の販売業者の間の金融処理の指示を受信する段階は、
前記決済システムによって、前記モバイルコンピューティングデバイス上での表示のために、前記金融処理にユーザが参加するように促す情報に関連するインジケータを提供する段階をさらに含む、請求項２１に記載の方法。
【請求項２３】
前記インジケータは、前記所定の販売業者に中継されるための前記金融処理に関連する少なくとも１つの文字ベースのコードか、又は前記所定の販売業者に前記支払者が関係する名前あるいは他の識別可能な情報を提供するための指示である請求項２２に記載の方法。
【請求項２４】
決済システムを通じて金融取引を行う方法であって、
１つまたはそれ以上の支払者に関連する識別情報及び金融預金口座情報を前記決済システムにおいて受信する段階と、
前記決済システムによって前記識別情報及び対応するもののための前記金融預金口座情報を前記支払者の少なくとも１つに関連付ける段階と、
前記支払者に関連する前記モバイルコンピューティングデバイスから、前記支払者の少なくとも１つによる前記支払者の前記少なくとも１つを１つ又はそれ以上の販売業者に関連付ける選択を受信する段階と、
前記支払者に関連する前記モバイルコンピューティングデバイスから、前記支払者のための位置情報を受信する段階と、
少なくとも、前記少なくとも１つの所定の販売業者の地理的領域内にある前記少なくとも１つの所定の販売業者のいずれについての識別情報を、前記１つ又はそれ以上の販売業者の少なくとも１つの所定の販売業者に前記決済システムによって提供する段階と、
前記支払者の前記少なくとも１つと前記少なくとも１つの所定の販売業者の間の金融処理の指示を前記決済システムで受信する段階と、
前記金融処理を処理するために前記少なくとも１つの支払者のための前記金融預金口座から前記少なくとも１つの所定の販売業者の金融預金口座に資金を転送する処理を開始させる段階と、を含み、
前記１又はそれ以上の販売業者のいずれかとの後続の処理を実行するために前記第一の金融預金口座情報は前記決済システム中に一度入力され、前記第一の金融預金口座情報の少なくとも一部は前記１又はそれ以上の販売業者から保留され、前記決済システムと前記支払者と前記１又はそれ以上の販売業者は異なるエンティティであることを特徴とする方法。
【請求項２５】
前記支払者の前記少なくとも１つと前記少なくとも１つの所定の販売業者の間の金融処理の指示を受信する段階は、
前記決済システムによって、前記モバイルコンピューティングデバイス上での表示のために、前記金融処理にユーザが参加するように促す情報に関連するインジケータを提供する段階をさらに含む、請求項２４に記載の方法。
【請求項２６】
前記インジケータは、前記少なくとも１つの所定の販売業者に中継されるための前記金融処理に関連する少なくとも１つの文字ベースのコードか、又は前記少なくとも１つの所定の販売業者に前記支払者が関係する名前あるいは他の識別可能な情報を提供するための指示である請求項２５に記載の方法。